(57)【要約】オーダーメード型歯列矯正弧線の製作キット及びこれを用いた歯列矯正弧線の製作方法が開示される。本発明によるオーダーメード型歯列矯正弧線の製作キットは、患者のセットアップモデルの歯牙位置にそれぞれ対応する内側締結孔と外側締結孔の組が穿孔されて形成されたジグベースと、一側終端に第１の貫通孔が貫通して形成される第１のヘッド、他側終端に第２の貫通孔が貫通して形成される第２のヘッドおよび、前記第１のヘッドと第２のヘッドを連結するが一側上端にワイヤ結紮スロットが凹んで形成されたボディを有するジグと、前記第１の貫通孔と前記内側締結孔の規格に対応する固定ネジおよび、前記第２の貫通孔と前記外側締結孔の規格に対応するホルダを有する。ジグのワイヤ結紮スロットにニチノールワイヤを結紮して固定した後、加熱炉で加熱することでオーダーメード型歯列矯正弧線を製作することができる。【選択図】図１【特許請求の範囲】
【請求項１】
患者の歯牙構造データからジグベースの内側締結孔及び外側締結孔の組の位置を決定する段階と、
前記ジグベース上の前記決定された位置に内側締結孔及び外側締結孔の組を穿孔する段階と、
ジグの第１の貫通孔を前記内側締結孔に一列に配列した上で、ワイヤをワイヤ結紮スロットに結紮させて、固定ネジを前記第１の貫通孔を貫通して前記内側締結孔に結合させ、前記固定ネジのネジヘッドがワイヤの上端を覆うように結合させる段階と、
第２の貫通孔が外側締結孔と一列に配列されるように、前記固定ネジを回転軸として位置を調整した後、ホルダを前記第２の貫通孔を貫通して前記外側締結孔に挿入する段階と、
前記ジグベースを加熱炉に入れて加熱する段階と、
ワイヤを取り外す段階と、を含むことを特徴とする、
歯列矯正弧線の製作方法。
【請求項２】
前記内側締結孔及び外側締結孔の組の位置を決定する段階は、患者の歯牙のセットアップモデルを製作する段階と、患者の歯牙のセットアップモデルからブラケットの取付位置を確定する段階と、ブラケットのスロットを繋ぐラインからワイヤ曲げ位置と角度を決定する段階と、決定されたワイヤ曲げ位置と角度によってジグの位置を判定し、前記ジグの第１の貫通孔及び第２の貫通孔に対応する位置をそれぞれジグベースの内側締結孔及び外側締結孔の位置と決定する段階と、を含むことを特徴とする請求項１に記載の歯列矯正弧線の製作方法。
【請求項３】
前記内側締結孔及び外側締結孔の組を穿孔する段階において、患者の上顎歯または下顎歯の数だけの内側締結孔及び外側締結孔の組を穿孔し、前記第２の貫通孔と外側締結孔を一列に配列する段階において、全てのジグの第１のヘッドがそれぞれに対応する内側締結孔に固定された状態で、順次に各ジグの第２のヘッドを動かして位置を調整することにより、第２の貫通孔が外側締結孔と一列に配列されるように調整することを特徴とする請求項１に記載の歯列矯正弧線の製作方法。
【請求項４】
患者のセットアップモデルの歯牙位置にそれぞれ対応する内側締結孔と外側締結孔の組が穿孔して形成されたジグベースと、
一側終端に第１の貫通孔が貫通して形成される第１のヘッド、他側終端に第２の貫通孔が貫通して形成される第２のヘッド及び、前記第１のヘッドと第２のヘッドを連結し、一側上端にワイヤ結紮スロットが凹んで形成されたボディを有するジグと、
前記第１の貫通孔と前記内側締結孔の規格に対応する固定ネジと、
前記第２の貫通孔と前記外側締結孔の規格に対応するホルダを備えることを特徴とする、
オーダーメード型歯列矯正弧線の製作キット。
【請求項５】
前記固定ネジは、ネジヘッドの半径が前記ワイヤ結紮スロットと前記第１の貫通孔の距離より更に長い規格を有することを特徴とする請求項４に記載のオーダーメード型歯列矯正弧線の製作キット。
【請求項６】
内側締結孔は患者のセットアップモデルの舌側方向に、外側締結孔は頬側方向にそれぞれ位置し、前記ジグの第１のヘッドは第２のヘッドより体積が小さいことを特徴とする請求項４に記載のオーダーメード型歯列矯正弧線の製作キット。
【請求項７】
前記ワイヤ結紮スロットは、前記第１のヘッドから固定ネジのネジヘッドの半径以内の距離に凹んで形成されることを特徴とする請求項４に記載のオーダーメード型歯列矯正弧線の製作キット。
【請求項８】
前記ワイヤ結紮スロットは、ワイヤと同一規格の断面を有することを特徴とする請求項４に記載のオーダーメード型歯列矯正弧線の製作キット。
【請求項９】
前記固定ネジは、ネジヘッドの底部にネジ山が形成されたネジ軸を有し、前記ホルダは、ネジ山がない棒状を有することを特徴とする請求項４に記載のオーダーメード型歯列矯正弧線の製作キット。
【発明の詳細な説明】
【技術分野】
【０００１】
本発明は、個人オーダーメード型の歯列矯正用弧線の製造方法に関するものである。更に具体的には高温でのベーキングが必要なニチノール材質のワイヤを個人オーダーメード型の弧線に製作するための方法に関するものである。
【背景技術】
【０００２】
矯正治療とは、狭義には不規則な歯牙をそろえる治療行為を意味し、広義には成長過程で発生し得る歯牙と口腔の様々な骨格的な不調和を直し、正常な機能を発揮できるようにする治療行為を意味する。
【０００３】
通常、歯列矯正は歯牙にブラケットを取り付け、矯正用弧線（ａｒｃｈｗｉｒｅ）を結紮することで、弧線の復元力によって歯牙の位置や傾きや方向をそろえて整列する方式で行われる。
【０００４】
最近は、患者の理想的な歯牙の状態をセットアップモデルに作った後、コンピュータソフトウェアを用いてブラケットの位置やワイヤの形状を設計するオーダーメード型矯正技術が紹介されている。
【０００５】
３Ｍ  ＩＮＮＯＶＡＴＩＶＥ  ＰＲＯＰＥＲＴＩＥＳ  ＣＯＭＰＡＮＹ社、Ｈ３２社、Ｇｕａｎｇｚｈｏｕ  Ｒｉｔｏｎ  Ｂｉｏｍａｔｅｒｉａｌ社などが保有したオーダーメード型矯正技術関連特許が知られている。
【０００６】
一例に、３Ｍ  ＩＮＮＯＶＡＴＩＶＥ  ＰＲＯＰＥＲＴＩＥＳ  ＣＯＭＰＡＮＹ社のＥＰ２７３６４４４『ＯＲＴＨＯＤＯＮＴＩＣ  ＡＲＣＨＷＩＲＥＳ  ＷＩＴＨ  ＲＥＤＵＣＥＤ  ＩＮＴＥＲＦＥＲＥＮＣＥ  ＡＮＤ  ＲＥＬＡＴＥＤ  ＭＥＴＨＯＤＳ』は、患者の歯牙位置に符合する弧線の形状を獲得し、これから多数のセグメントからなる舌側矯正用オーダーメード型弧線を製作する技術を公知している。
【０００７】
一方、矯正弧線では、チタン合金やステンレス材質のワイヤがよく使用される。  
【０００８】
チタン合金のうちニッケルとチタン合金であるニチノール（Ｎｉｔｉｎｏｌ）は、商用化された代表的な形状記憶合金（ｓｈａｐｅ  ｍｅｍｏｒｙ  ａｌｌｏｙ）であって、復元力が卓越して歯列矯正用として広く使用されている。
【０００９】
ニチノール合金は、５００℃以上の温度で加熱した際、結晶中の原子配列が変わり、そのままの形状で固定され、以後固定された形状に戻ろうとする復元力を見せる。
【００１０】
前記ＥＰ２７３６４４４は、ワイヤを別途のベンディング装備を用いてベンディングすることで所望の形に製作するが、ニチノール合金は、最初の形状を記憶する性質を有しているため、ベンディング装備を用いて所望の位置において所望の角度で曲げることだけでは、所望の形状の弧線が得られない限界がある。
【００１１】
一方、ＵＳ２００８／０２５４４０３『ＳＹＳＴＥＭ  ＦＯＲ  ＣＮＣ−ＭＡＣＨＩＮＩＮＧ  ＦＩＸＴＵＲＥＳ  ＴＯ  ＳＥＴ  ＯＲＴＨＯＤＯＮＴＩＣ  ＡＲＣＨＷＩＲＥＳ』は、コンピュータソフトウェアを用いてニチノールワイヤの形状を獲得した後、ＣＮＣマシンでワイヤを引き留めてくれる固定物を切削して作り、固定物にワイヤを締結して加熱する技術を公知している。
【００１２】
同技術は、ニチノール材質のオーダーメード型弧線製作のための方法を提示しているが、患者ごとにＣＮＣマシンで固定物を個別製作しなければならないため、費用が大きく増加する問題点があり、ワイヤを加熱する間に、固定物にワイヤが完全に結紮されずに離脱して結果物の品質が落ちる限界がある。
【発明の概要】
【発明が解決しようとする課題】
【００１３】
本発明は、前記のような従来技術の問題点を解消するために開発されたものであって、本発明の目的はニチノール材質の個人オーダーメード型歯列矯正弧線を製作するためのキットと、これを用いたオーダーメード型の歯列矯正弧線の製作方法の提供にある。
【００１４】
特に、汎用で使用可能なパートを最大限確保することで、経済性のあるオーダーメード型歯列矯正弧線の製作技法の提供をその目的とする。
【課題を解決するための手段】
【００１５】
前記のような目的を達成するために、本発明によるオーダーメード型歯列矯正弧線の製作キットを用いた歯列矯正弧線の製作方法は、  
【００１６】
患者の歯牙構造データからジグベースの内側締結孔及び外側締結孔の組の位置を決定する段階と、
【００１７】
前記ジグベース上の前記決定された位置に内側締結孔及び外側締結孔の組を穿孔する段階と、
【００１８】
ジグの第１の貫通孔を前記内側締結孔に一列に配列した上で、ワイヤをワイヤ結紮スロットに結紮させて、固定ネジを前記第１の貫通孔を貫通して前記内側締結孔に結合させ、前記固定ネジのネジヘッドがワイヤの上端を覆うように結合させる段階と、
【００１９】
第２の貫通孔が外側締結孔と一列に配列されるように、前記固定ネジを回転軸として位置を調整した後、ホルダを前記第２の貫通孔を貫通して前記外側締結孔に挿入する段階と、
【００２０】
前記ジグベースを加熱炉に入れて加熱する段階と、
【００２１】
ワイヤを取り外す段階と、を含む。
【００２２】
この時、前記内側締結孔及び外側締結孔の組の位置を決定する段階は、
【００２３】
患者の歯牙セットアップモデルを製作する段階と、
【００２４】
患者の歯牙セットアップモデルからブラケット取付位置を確定する段階と、
【００２５】
ブラケットのスロットを繋ぐラインからワイヤ曲げ位置と角度を決定する段階と、
【００２６】
決定されたワイヤ曲げ位置と角度によってジグの位置を判定し、前記ジグの第１の貫通孔及び第２の貫通孔に対応する位置をそれぞれジグベースの内側締結孔及び外側締結孔の位置と決定する段階と、を含む。
【００２７】
一方、前記内側締結孔及び外側締結孔の組を穿孔する段階において、患者の上顎歯または下顎歯の数だけの内側締結孔及び外側締結孔の組を穿孔する。
【００２８】
そして、第２の貫通孔と外側締結孔を一列に配列する段階において、全てのジグの第１のヘッドがそれぞれ対応する内側締結孔に固定された状態で、順次に各ジグの第２のヘッドを動かして位置を調整することにより、第２の貫通孔が外側締結孔と一列に配列するように調整する。
【００２９】
一方、前記のような目的を達成するために、本発明によるオーダーメード型歯列矯正弧線の製作キットは、患者のセットアップモデルの歯牙位置にそれぞれ対応する内側締結孔と外側締結孔の組が穿孔して形成されたジグベースと、
【００３０】
一側終端に第１の貫通孔が貫通して形成される第１のヘッド、他側終端に第２の貫通孔が貫通して形成される第２のヘッドおよび、前記第１のヘッドと第２のヘッドを連結し、一側上端にワイヤ結紮スロットが凹んで形成されたボディを有するジグと、
【００３１】
前記第１の貫通孔と前記内側締結孔の規格に対応する固定ネジと、  
【００３２】
前記第２の貫通孔と前記外側締結孔の規格に対応するホルダと、を備える。
【００３３】
この時、前記固定ネジは、ネジヘッドの半径が前記ワイヤ結紮スロットと前記第１の貫通孔の距離よりも長い規格を有する。
【００３４】
内側締結孔は患者のセットアップモデルの舌側方向に、外側締結孔は頬側方向にそれぞれ位置し、  
【００３５】
前記ジグの第２のヘッドは、第１のヘッドより体積が大きく形成して作業性を向上させる。
【発明の効果】
【００３６】
このような本発明によると、高価のＣＮＣ装備を利用しなくても個人オーダーメード型の矯正用弧線の製作が可能となり、オーダーメード型矯正の非経済性が大きく改善される効果がある。
【００３７】
更に、ニチノールワイヤをジグに固定して位置を微細調整する工程の作業性が大きく向上するだけでなく、加熱工程においてワイヤが外れなく正確な形状を有するように固定できるので、結果の精度と品質が大きく向上する効果がある。
【図面の簡単な説明】
【００３８】
【図１】本発明によるオーダーメード型歯列矯正弧線の製作キットにワイヤが結紮された様子を示した図面である。
【図２】ジグと固定ネジ及びホルダの結合関係を示した図面である。
【図３】ジグベースの構造を示した図面である。
【図４】ジグベースにジグを固定して、ワイヤを結紮する過程を説明する図面である。
【図５】ジグを加熱炉に入れてワイヤをベーキングとした後、取り外す過程を説明する図面である。
【図６】本発明による歯列矯正弧線の製作方法を時系列的に説明するフローチャートである。
【図７】ベースの締結孔の位置を決定する過程を詳しく示したフローチャートである。
【発明を実施するための形態】
【００３９】
以下では、本発明の好ましい実施例及び添付の図面を参照して本発明を詳しく説明するが、図面の同一参照符号は同一構成要素を示すことを前提して説明する。
【００４０】
発明の詳細な説明、または特許請求の範囲におけるいずれか一つの構成要素が他の構成要素を「含む」とは、特に反対される記載がない限り、当該構成要素だけで構成されたものと限って解釈せずに他の構成要素を更に含むことができると理解しなければならない。
【００４１】
以下では、図１乃至図３を参照して本発明の実施例によるオーダーメード型歯列矯正弧線の製作キットの構成を説明する。
【００４２】
本発明は、患者の歯牙のセットアップモデルに符合する形のオーダーメード型ワイヤを製作するための製作キットに関するものであって、好ましくは高温でベーキングすることによって、特定形状を有するようになる形状記憶合金材質のワイヤを所望の形で製作するための製造装備に関するものである。
【００４３】
特に、本発明は、ニチノール材質の角型ワイヤのベーキングを通じて、オーダーメード型歯列矯正用弧線の製作時に使用されることができる。
【００４４】
図１は、本発明によるオーダーメード型歯列矯正弧線の製作キットにワイヤが結紮された様子を示した図面である。
【００４５】
図１に示された本発明によるオーダーメード型歯列矯正弧線の製作キットは、一つのジグベース１０と多数のジグ２０を備える。
【００４６】
ジグ２０は、患者の歯牙のセットアップモデルの歯牙の数だけ備えられ、歯牙セットアップモデルのブラケットの位置に応じてその位置が決められる。
【００４７】
図１は、ジグベース１０上に多数のジグ２０がそれぞれ固定され、ワイヤがジグ２０に形成されたワイヤ結紮スロット２３１に挿入されて固定された状態を示す。
【００４８】
図２は、ジグ２０と固定ネジ３０及びホルダ４０の結合関係を示し、図３は、ジグベース１０の構造を示す。
【００４９】
ジグベース１０は、上面に多数の内側締結孔１１と外側締結孔１２の組が穿孔して形成される。ジグベース１０を貫通して形成する必要はなく、ジグ２０の固定に必要な程度の深さほど穿孔することで十分である。
【００５０】
一対の内側締結孔１１と外側締結孔１２にそれぞれ一つのジグ２０が対応されるので、内側締結孔１１と外側締結孔１２は、組で備えられる方が好ましい。
【００５１】
各内側締結孔１１と外側締結孔１２の組は、患者のセットアップモデルの歯牙の位置にそれぞれ対応する。  
【００５２】
詳しくは、セットアップモデルのブラケットの位置に応じてワイヤの移動経路が定められ、多数のジグ２０に形成されたワイヤ結紮スロット２３１が前記経路を通るように各ジグ２０の位置が決定される。そして、ジグ２０の位置によって各内側締結孔１１と外側締結孔１２の位置が決まるようになる。
【００５３】
更に詳しくは、内側締結孔１１は患者のセットアップモデルの舌側方向に、外側締結孔１２は頬側方向にそれぞれ位置する。
【００５４】
図３に示された通り、内側締結孔１１は患者の口腔内部方向に集まっており、外側締結孔１２は外側方向に配列される。
【００５５】
ジグ２０は、ボディ２３を中心として両側に第１のヘッド２１と第２のヘッド２２が互いに対向する構造を有する。
【００５６】
第１のヘッド２１は、ボディ２３の一側終端に位置し、中央に第１の貫通孔２１１が垂直方向に貫通して形成される。
【００５７】
一方、第２のヘッド２２は、ボディ２３の他側終端に位置し、中央に第２の貫通孔２２１が垂直に貫通して形成される。
【００５８】
好ましくは、第１の貫通孔２１１と第２の貫通孔２２１は、ジグベース１０の上面と直交方向に備えられる。
【００５９】
好ましくは、ボディ２３は、断面が第１のヘッド２１又は第２のヘッド２２より細くて長い形状を有することができる。
【００６０】
ボディ２３の上端一側には、ワイヤ結紮スロット２３１が凹んで形成される。
【００６１】
好ましくは、ワイヤ結紮スロット２３１は、ワイヤの規格と同一断面を有する。例えば、横と縦がそれぞれ０．１８インチである直方体の形状でボディ２３の上端一側から凹んで形成されることができる。
【００６２】
このようにすることで、ワイヤが各ワイヤ結紮スロット２３１にきつく結紮されることができる。
【００６３】
ワイヤ結紮スロット２３１は、好ましくは第１のヘッド２１側に密着して形成されことができる。これは後述の通り固定ネジ３０のネジヘッド３１で覆って固定するためである。
【００６４】
一方、本発明によるオーダーメード型歯列矯正弧線の製作キットは、第１の貫通孔２１１と前記内側締結孔１１の規格に対応する固定ネジ３０を備える。
【００６５】
第１の貫通孔２１１は、内部にネジ山が形成され、または形成されないことがあって、固定ネジ３０が挿入される幅を有する。反面、内側締結孔１１は雌ネジ山が形成されて固定ネジ３０のらせん軸に形成された雄ネジ山と噛み合って締結されなければならない。
【００６６】
固定ネジ３０は、ネジヘッド３１の半径が前記ワイヤ結紮スロット２３１と前記第１の貫通孔２１１の距離より更に長い規格を有する。
【００６７】
つまり、固定ネジ３０を第１の貫通孔２１１に挿入した時、固定ネジ３０のネジヘッド３１がワイヤ結紮スロット２３１の上面の少なくとも一部を覆う。これによってワイヤ結紮スロット２３１にワイヤを挿入した後、固定ネジ３０をジグベース１０の内側締結孔１１に締結したとき、ワイヤが外部に抜けないように固定される。
【００６８】
ホルダ４０は、好ましくは棒形状を有し、第２の貫通孔２２１と前記外側締結孔１２の規格に対応する直径を有する。好ましくはホルダ４０は、別途のネジ山が形成されず、第２の貫通孔２２１及び前記外側締結孔１２に同時に挿入されてジグ２０を固定する。
【００６９】
このようなホルダ４０は、固定ネジ３０と同じ長さと直径を有するようにすることもできるが、好ましくは作業者が手に取って簡単に挿入できるように少し大きなサイズを有する。
【００７０】
図２に示された通り、固定ネジ３０より更に長く、また直径も更に厚くすることができる。
【００７１】
一方、前記のように、内側締結孔１１は舌側方向に集まっており、外側締結孔１２は頬側方向に配列されるので、内側締結孔１１の間の間隔は多少狭いが、外側締結孔１２の間の間隔はこれより余裕がある。
【００７２】
よって、作業の容易性のために第２のヘッド２２の体積を第１のヘッド２１より大きく設計することができる。
【００７３】
図２に示された通り、第２のヘッド２２は第１のヘッド２１より多少体積が大きく設計されるが、これは第１のヘッド２１が配列される舌側に比べて第２のヘッド２２が配列される頬側の空間が相対的に余裕があるからであり、同時に手作業でジグ２０の位置を微細に調整することにおいて操作性を向上させるためでもある。
【００７４】
以下では、図４乃至図７を参照して本発明の実施例による歯列矯正弧線の製作方法を説明する。
【００７５】
本発明による歯列矯正弧線の製作方法は、前記のようなオーダーメード型歯列矯正弧線の製作キットを用いることによって実施することができる。
【００７６】
図６は、本発明による歯列矯正弧線の製作方法を時系列的に説明するフローチャートである。
【００７７】
図６に示されたように、先ず患者の歯牙構造データからジグベース１０の内側締結孔１１及び外側締結孔１２の組の位置を決定する（Ｓ１１０）。
【００７８】
図７は、ベースの締結孔の位置を決定する過程を敷延するフローチャートである。図７に示されたように、Ｓ１１０段階は次のような細部過程を通じて処理される。
【００７９】
まず、患者の歯牙のセットアップモデルを製作する（Ｓ１１１）。
【００８０】
セットアップモデルの製作は、オーダーメード型歯列矯正時に一般的に行われ、患者の上顎または下顎不正咬合模型の歯牙を切り取って、理想的位置に並べ替えることで製作することができる。  
【００８１】
次に、患者の歯牙のセットアップモデルからブラケット取付位置を確定する（Ｓ１１２）。
【００８２】
最近は、セットアップモデルを３Ｄデータで読み取ってブラケットの取付位置をコンピュータープログラム上で設定する。ブラケット取付位置の確定工程も従来技術を利用することができる。
【００８３】
一方、このようにブラケットの取付位置が決まれば、ブラケットのスロットを繋ぐラインからワイヤ曲げ位置と角度を決定する（Ｓ１１３）。
【００８４】
コンピュータープログラムを用いると、ブラケットのスロットを繋ぐラインの座標を獲得することができ、患者の口腔の状態や歯牙の位置、大きさなどを考慮してワイヤの曲げ角度と位置を定めることができる。  
【００８５】
ワイヤの曲げ角度や曲げ位置を設定するにはコンピュータープログラムを用いることができ、本工程も従来技術を利用することができる。
【００８６】
しかし、従来技術は、ワイヤの曲げ角度と位置が決まれば、既成のワイヤを別途のベンディング装備に入れて直接ベンディングする反面、本発明は別途の製作キットを用いて位置を取る。
【００８７】
ワイヤ曲げ位置と角度が決まれば、これからジグ２０の位置を判定することができる。
【００８８】
ジグ２０のワイヤ結紮スロット２３１に結紮されたワイヤが前記決定された曲げ位置と角度によってベンディングされなければならず、ジグ２０のワイヤ結紮スロット２３１がブラケットのスロットを座標に、またはジグ２０のワイヤ結紮スロット２３１を繋ぐラインがブラケットのスロットを繋ぐラインと重なるようにしなければならないので、これからジグ２０の位置が決まる。
【００８９】
ジグ２０の位置が決まると、前記ジグ２０の第１の貫通孔２１１及び第２の貫通孔２２１に対応する位置をそれぞれジグベース１０の内側締結孔１１及び外側締結孔１２の位置と決定する（Ｓ１１４）。
【００９０】
再び図６に戻り、内側締結孔１１及び外側締結孔１２の組の位置がそれぞれ決まると、前記ジグベース１０上の前記決定された位置に内側締結孔１１及び外側締結孔１２の組を穿孔する（Ｓ１２０）。
【００９１】
図４の（ａ）は、内側締結孔１１及び外側締結孔１２が穿孔される前のジグベース１０の形状を示し、図４の（ｂ）は、内側締結孔１１及び外側締結孔１２の組が穿孔されて形成された様子を示す。
【００９２】
図４の（ｂ）によると、臼歯部各４個、前歯部６個の歯牙に対応して計１４組の内側締結孔１１及び外側締結孔１２の組が形成されたことを確認することができる。
【００９３】
つまり、このように内側締結孔１１及び外側締結孔１２の組が準備されれば、ジグ２０の第１の貫通孔２１１を前記内側締結孔１１に一列に配列する。
【００９４】
そして、ワイヤをワイヤ結紮スロット２３１に結紮させて、固定ネジ３０を前記第１の貫通孔２１１を貫通して前記内側締結孔１１に結合させる。
【００９５】
これによって、固定ネジ３０のネジヘッド３１がワイヤの上段を覆って固定するようになる。
【００９６】
図４の（ｃ）は、その過程を示す。
【００９７】
このような過程を全ての内側締結孔１１に対して繰り返す。
【００９８】
その過程が終われば、ジグベース１０の各内側締結孔１１にはそれぞれジグ２０の第１のヘッド２１がネジヘッド３１により固定され、各ジグ２０のワイヤ結紮スロット２３１にワイヤが結紮される。
【００９９】
図４の（ｄ）は、まさにその状態を示す。
【０１００】
続いて、第２のヘッド２２を一つずつ取って順次に第２の貫通孔２２１が外側締結孔１２と一列に配列されるようにする。つまり、前記固定ネジ３０を回転軸として第２のヘッド２２を動かすことで、位置を調整する。
【０１０１】
続いて、ホルダ４０を前記第２の貫通孔２２１を貫通して前記外側締結孔１２に挿入する（Ｓ１４０）。
【０１０２】
各ジグ２０に対して、このような過程を経ると、図４の（ｅ）に示されたようにジグベース１０にジグ２０がそれぞれ本来の位置に固定され、ワイヤはワイヤ結紮スロット２３１の位置と角度によって自然にベンディングされた状態で固定される。
【０１０３】
続いて、ジグベース１０を加熱炉に入れて加熱する（Ｓ１５０）。
【０１０４】
好ましくは、約５００℃ほどの温度で所定時間の間に加熱することで、ニチノール材質のワイヤがジグ２０によってベンディングされた形状を記憶するようになる。
【０１０５】
図５の（ａ）及び（ｂ）は、加熱炉にジグベース１０を入れて加熱する様子を示す。
【０１０６】
ジグベース１０を加熱炉から取り出して室温で冷却させた後、ワイヤを取り外す（Ｓ１６０）。
【０１０７】
図５の（ｃ）に示された通り、固定ネジ３０を全て解いて、ワイヤを取り外すことによって、オーダーメード型歯列矯正弧線の製作が完了する。
【０１０８】
以上、いくつかの実施例を通じて、本発明の技術的思想を説明した。
【０１０９】
本発明が属する技術分野における通常の知識を有する者が本発明の記載事項から前記調べた実施例を多様に変形し、または変更できることは自明である。
また、たとえ明示的に図示されていない、または説明されていないとしても本発明の属する技術分野における通常の知識を有する者が本発明の記載事項から本発明による技術的思想を含む様々な形態の変形ができることは自明であり、これは依然として本発明の権利範囲に属する。
添付の図面を参照して説明された前記の実施例は本発明を説明するための目的で記述されたものであり、本発明の権利範囲はこれらの実施例に限られない。
【符号の説明】
【０１１０】
１０  ジグベース
１１  内側締結孔
１２  外側締結孔
２０  ジグ
２１  第１のヘッド
２２  第２のヘッド
２３  ボディ
３０  固定ネジ
３１  ネジヘッド
４０  ホルダ
２１１  第１の貫通孔
２２１  第２の貫通孔
２３１  ワイヤ結紮スロット
【図１】
2018519955.tif 000002
【図２】
2018519955.tif 000003
【図３】
2018519955.tif 000004
【図４】
2018519955.tif 000005
【図５】
2018519955.tif 000006
【図６】
2018519955.tif 000007
【図７】
2018519955.tif 000008
【国際調査報告】
2018519955.tif 000009
2018519955.tif 000010
2018519955.tif 000011
2018519955.tif 000012